(57)【要約】      （修正有）【課題】複数種類の携帯型記録媒体ごとの記録媒体挿入部を有する情報処理装置において、ユーザにより、携帯型記録媒体をその記録媒体に対応していない記録媒体挿入部に挿入されてしまう事態を防止できるようにする。【解決手段】情報処理装置は、複数種類の携帯型記録媒体ごとに設けられた記録媒体挿入部を有し、記録媒体挿入部に挿入された携帯型記録媒体に格納されている情報を読み出して処理する。制御部４０１は、携帯型記録媒体が格納している情報についての処理を求める処理要求を第１表示・操作部１０２から受けると、ユーザに対して処理対象の携帯型記録媒体についての確認を求める確認要求を第２表示・操作部１０３に表示させる。【選択図】図５
2010042526.tif 000002
【特許請求の範囲】
【請求項１】
複数種類の携帯型記録媒体ごとに設けられた記録媒体挿入部を有し、前記記録媒体挿入部に挿入された携帯型記録媒体に格納されている情報を読み出して処理する情報処理装置において、
情報を表示する表示手段と、
ユーザからの入力操作を受け付ける入力操作手段と、
制御手段とを備え、
前記制御手段は、携帯型記録媒体が格納している情報についての処理を求める処理要求を前記入力操作手段から受けると、ユーザに対して処理対象の携帯型記録媒体についての確認を求める確認要求を前記表示手段に表示させることを特徴とする情報処理装置。
【請求項２】
複数種類の携帯型記録媒体ごとに設けられた記録媒体挿入部を有し、前記記録媒体挿入部に挿入された携帯型記録媒体に格納されている情報を読み出して処理する情報処理装置において、
前記記録媒体挿入部に対する携帯型記録媒体の挿入操作および抜き取り操作を阻止する閉状態および前記両操作を許容する開状態とを取り得る開閉部材と、
前記開閉部材を閉じ状態に保持するロック動作およびその解除動作を行うロック手段と、
情報を表示する表示手段と、
ユーザからの入力操作を受け付ける入力操作手段と、
制御手段とを備え、
前記制御手段は、携帯型記録媒体が格納している情報についての処理を求める処理要求を前記入力操作手段から受けると、前記ロック手段により前記開閉部材を閉じ状態に保持させるとともに、ユーザに対して処理対象の携帯型記録媒体についての確認を求める確認要求を前記表示手段に表示させ、その後、前記入力操作手段から前記確認要求に対して確認済の入力を受けると、前記ロック手段によるロック動作を解除させることを特徴とする情報処理装置。
【請求項３】
前記複数種類の携帯型記録媒体には、第１の携帯型記録媒体と、アダプタを使用して前記第１の携帯型記録媒体と同一の記録媒体挿入部に挿入される第２の携帯型記録媒体とが含まれており、
前記制御手段は、前記処理要求を受けると、前記確認要求の表示に先立って、ユーザに対して処理対象の携帯型記録媒体の指定を求める指定要求を前記表示手段に表示させ、その後、前記入力操作手段を介して指定された携帯型記録媒体が前記第２の携帯型記録媒体である場合に、前記確認要求に、前記アダプタを使用することの指示を含ませること特徴とする請求項１または２に記載の情報処理装置。
【請求項４】
前記制御手段は、前記処理要求を受けると、前記確認要求の表示に先立って、ユーザに対して前記開閉部材を閉じ状態に操作する要求を前記表示手段に表示させることを特徴とする請求項２に記載の情報処理装置。
【請求項５】
前記制御手段は、前記記録媒体挿入部に挿入された携帯型記録媒体からデータの読み出しを行っている期間中、前記ロック手段により前記開閉部材を閉じ状態に保持させることを特徴とする請求項１から４のいずれか１項に記載の情報処理装置。
【請求項６】
請求項１から５のいずれか１項に記載の情報処理装置と前記記録媒体挿入部に挿入された携帯型記録媒体から読み出した画像データに基づいて印刷を行う印刷部とを備えていることを特徴とする画像形成装置。
【発明の詳細な説明】
【技術分野】
【０００１】
本発明は、携帯型の記録媒体から提供される情報を処理する情報処理装置に関するものである。
【背景技術】
【０００２】
近年、携帯可能な記録媒体（以下、携帯型メディアと称する）に格納されている情報を処理するサービスが普及している。例えば、デジタルカメラにより撮影して取得した画像データは携帯型メディアに格納され、この携帯型メディアを、コンビニエンスストア等の店舗に設置された複合機（情報処理装置）に装着し、複合機にて携帯型メディアに格納されている画像データを読み出して印刷するようなサービスである。
【０００３】
この場合、携帯型メディアに格納されている画像データは、複合機に設けられた表示装置に表示され、印刷を希望する画像データを上記表示装置上においてユーザが選択する。また、ユーザの操作性を向上させるために、複合機では、メディア着脱のタイミングの指示、印刷すべき画像データの選択の指示、印刷開始の指示等の操作情報（ガイダンス画面）を上記表示装置に順次表示する。特許文献１には、上記のような表示装置として、複合機の傍に別途大型表示装置を設け、この大型表示装置に上記ガイダンス表示を行うものが開示されている。
【０００４】
一方、携帯型メディアが上記複合機に挿入して装着された後、携帯型メディア内の情報を上記複合機に転送している間に、ユーザにより携帯型メディアが上記複合機から抜き取られると、画像データが破壊されてしまう可能性がある。そこで、特許文献２には、携帯型メディアへのアクセス中において携帯型メディアを保護することができるメモリカードの保護装置が提案されている。
【特許文献１】特開２０００−１３２０１０号（平成１２年５月１２日公開）
【特許文献２】特開２０００−１１３６６３号（平成１２年４月２１日公開）
【発明の開示】
【発明が解決しようとする課題】
【０００５】
現在、携帯型メディアとしては多数の種類のものが使用されており、それらは形状および大きさが異なっている。このような実情に応じて、携帯型メディア対応型の上記複合機（以下、携帯型メディア対応複合機と称する）には、形状および大きさが異なる複数種類の携帯型メディアに対応して、複数種類の携帯型メディアごとのメディア挿入部（スロット）が設けられている。
【０００６】
一方、携帯型メディア対応複合機の複数のメディア挿入部のうち、大型の携帯型メディアに対応するものは、その大型の携帯型メディアよりも小型の携帯型メディアを、単に機械的に挿入できてしまうものがある。例えば、ｍｉｎｉＳＤカードあるいはｍｉｃｒｏＳＤカードをＳＤカードのメディア挿入部（スロット）に挿入できてしまうといった場合である。
【０００７】
したがって、ユーザが、使用している携帯型メディアのタイプを十分に認識せずに、小型の携帯型メディアを誤って大型の携帯型メディアに対応したメディア挿入部に挿入してしまうという事故が発生し易くなる。このような場合、メディア挿入部に挿入された携帯型メディアを容易に取り出すことができない場合があり、そのような場合には、挿入された携帯型メディアを取り出すために、携帯型メディア対応複合機の一部を分解することが必要となる。
【０００８】
したがって、本発明は、複数種類の携帯型記録媒体ごとの記録媒体挿入部を有する情報処理装置において、ユーザにより、形態型記録媒体をその記録媒体に対応していない記録媒体挿入部に挿入されてしまう事態を防止することができる情報処理装置の提供を目的としている。
【課題を解決するための手段】
【０００９】
上記の課題を解決するために、本発明の情報処理装置は、複数種類の携帯型記録媒体ごとに設けられた記録媒体挿入部を有し、前記記録媒体挿入部に挿入された携帯型記録媒体に格納されている情報を読み出して処理する情報処理装置において、情報を表示する表示手段と、ユーザからの入力操作を受け付ける入力操作手段と、制御手段とを備え、前記制御手段は、携帯型記録媒体が格納している情報についての処理を求める処理要求を前記入力操作手段から受けると、ユーザに対して処理対象の携帯型記録媒体についての確認を求める確認要求を前記表示手段に表示させることを特徴としている。
【００１０】
上記の構成によれば、ユーザが操作する入力操作手段から、携帯型記録媒体が格納している情報についての処理を求める処理要求が入力されると、ユーザに対して処理対象の携帯型記録媒体についての確認を求める確認要求が表示手段に表示される。これにより、ユーザは、表示手段の表示に基づいて、処理対象の携帯型記録媒体の種類等を確認し、携帯型記録媒体を情報処理装置の対応する記録媒体挿入部に適切な状態で挿入することができる。したがって、携帯型記録媒体がその記録媒体に対応していない記録媒体挿入部に挿入されてしまう事態を防止することができる。
【００１１】
また、本発明の情報処理装置は、複数種類の携帯型記録媒体ごとに設けられた記録媒体挿入部を有し、前記記録媒体挿入部に挿入された携帯型記録媒体に格納されている情報を読み出して処理する情報処理装置において、前記記録媒体挿入部に対する携帯型記録媒体の挿入操作および抜き取り操作を阻止する閉状態および前記両操作を許容する開状態とを取り得る開閉部材と、前記開閉部材を閉じ状態に保持するロック動作およびその解除動作を行うロック手段と、情報を表示する表示手段と、ユーザからの入力操作を受け付ける入力操作手段と、制御手段とを備え、前記制御手段は、携帯型記録媒体が格納している情報についての処理を求める処理要求を前記入力操作手段から受けると、前記ロック手段により前記開閉部材を閉じ状態に保持させるとともに、ユーザに対して処理対象の携帯型記録媒体についての確認を求める確認要求を前記表示手段に表示させ、その後、前記入力操作手段から前記確認要求に対して確認済の入力を受けると、前記ロック手段によるロック動作を解除させることを特徴としている。
【００１２】
上記の構成によれば、ユーザが操作する入力操作手段から、携帯型記録媒体が格納している情報についての処理を求める処理要求が入力されると、ロック手段により開閉部材が閉じ状態に保持され、かつユーザに対して処理対象の携帯型記録媒体についての確認を求める確認要求が表示手段に表示される。その後、ユーザが操作する入力操作手段から、前記確認要求に対して確認済であることが入力されると、ロック手段によるロック動作が解除される。
【００１３】
これにより、ユーザは、表示手段の表示に基づいて、処理対象の携帯型記録媒体の種類等を確認し、携帯型記録媒体を情報処理装置の対応する記録媒体挿入部に適切な状態で挿入することができる。さらに、表示手段に表示された確認要求に対してユーザから確認済であることが入力されるまで、開閉部材が記録媒体挿入部に対する携帯型記録媒体の挿入操作および抜き取り操作を阻止する閉状態に保持されるので、ユーザが処理対象の携帯型記録媒体を未確認の状態で不用意にいずれかの記録媒体挿入部に挿入してしまう事態を防止するすることができる。したがって、携帯型記録媒体がその記録媒体に対応していない記録媒体挿入部に挿入されてしまう事態を確実に防止することができる。
【００１４】
上記の情報処理装置において、前記複数種類の携帯型記録媒体には、第１の携帯型記録媒体と、アダプタを使用して前記第１の携帯型記録媒体と同一の記録媒体挿入部に挿入される第２の携帯型記録媒体とが含まれており、前記制御手段は、前記処理要求を受けると、前記確認要求の表示に先立って、ユーザに対して処理対象の携帯型記録媒体の指定を求める指定要求を前記表示手段に表示させ、その後、前記入力操作手段を介して指定された携帯型記録媒体が前記第２の携帯型記録媒体である場合に、前記確認要求に、前記アダプタを使用することの指示を含ませる構成としてもよい。
【００１５】
上記の構成によれば、ユーザが操作する入力操作手段から、携帯型記録媒体が格納している情報についての処理を求める処理要求が入力されると、ユーザに対して処理対象の携帯型記録媒体の指定を求める指定要求が表示手段に表示される。その後、ユーザが操作する入力操作手段により、処理対象の携帯型記録媒体が指定される。ここで、指定された携帯型記録媒体が、アダプタを使用して第１の携帯型記録媒体と同一の記録媒体挿入部に挿入される第２の携帯型記録媒体である場合には、ユーザに対して処理対象の携帯型記録媒体についての確認を求める確認要求が、アダプタを使用することの指示を含んだ状態で表示される。
【００１６】
これにより、処理対象の携帯型記録媒体がアダプタを使用して記録媒体挿入部に挿入するような構成、例えばＳＤカード、ｍｉｎｉＳＤカード、ｍｉｃｒｏＳＤカードなど、同一種類の大きさが異なる携帯型記録媒体をアダプタを使用して同一の記録媒体挿入部に挿入するような構成においても、携帯型記録媒体の誤挿入を適切に防止することができる。
【００１７】
上記の情報処置装置において、前記制御手段は、前記処理要求を受けると、前記確認要求の表示に先立って、ユーザに対して前記開閉部材を閉じ状態に操作する要求を前記表示手段に表示させる構成としてもよい。
【００１８】
上記の構成によれば、開閉部材を閉じ状態に操作する要求の表示に応じてユーザにより開閉部材が閉じ状態に操作されるので、表示手段に表示された確認要求に対してユーザから確認済であることが入力されるまで開閉部材を閉状態に保持する動作を確実に行うことができる。
【００１９】
上記の情報処理装置において、前記制御手段は、前記記録媒体挿入部に挿入された携帯型記録媒体からデータの読み出しを行っている期間中、前記ロック手段により前記開閉部材を閉じ状態に保持させる構成としてもよい。
【００２０】
上記の構成によれば、記録媒体挿入部に挿入された携帯型記録媒体からデータの読み出しを行っている期間中において、誤って携帯型記録媒体が抜き出される事態を確実に防止することができる。
【００２１】
本発明の画像形成装置は、上記いずれかの情報処理装置と前記記録媒体挿入部に挿入された携帯型記録媒体から読み出した画像データに基づいて印刷を行う印刷部とを備えていることを特徴としている。
【００２２】
上記の構成によれば、例えばデジタルカメラにて撮影した画像データを格納している携帯型記録媒体を情報処理装置の記録媒体挿入部に挿入して、上記画像データを印刷するといったサービスに好適に対応することができる。
【発明の効果】
【００２３】
以上のように、本発明の構成によれば、ユーザが操作する入力操作手段から、携帯型記録媒体が格納している情報についての処理を求める処理要求が入力されると、ユーザに対して処理対象の携帯型記録媒体についての確認を求める確認要求が表示手段に表示される。これにより、ユーザは、表示手段の表示に基づいて、処理対象の携帯型記録媒体の種類等を確認し、携帯型記録媒体を情報処理装置の対応する記録媒体挿入部に適切な状態で挿入することができる。したがって、携帯型記録媒体がその記録媒体に対応していない記録媒体挿入部に挿入されてしまう事態を防止することができる。
【発明を実施するための最良の形態】
【００２４】
本発明の実施の形態を図面に基づいて以下に説明する。
図１は、例えばコンビニエンスストアに設置される、本実施の形態の情報処理装置を含む複合機１００の外観を示す斜視図である。複合機１００は、スキャナ部１０５にて読み取った原稿を印刷する機能（コピー機能）、メディア装着部１０４に装着されたメディアに格納されているデータを印刷する機能（プリント機能）を有している。図１には、複合機１００が備える各部のうち、操作部１０１、第１表示・操作部（入力操作手段）１０２、第２表示・操作部（表示手段、入力操作手段）１０３、メディア装着部１０４およびスキャナ部１０５が示されている。
【００２５】
操作部１０１は、ユーザが複合機１００に対して指示を入力するための、プリントキー等を含む複数の入力キーを備えている。第１表示・操作部１０２は、複合機１００の筐体と一体に設けられており、主にコピー機能の詳細な表示や設定を行うためのものである。第２表示・操作部１０３は、タッチパネル方式の表示部であり、メディア装着部１０４に装着された各種メディアに格納されている画像データに対するプリント機能の表示、それら画像データのサムネイル表示、並びに上記プリント機能の設定を行うためのものである。メディア装着部１０４は、複合機１００にて処理する画像データ等の情報を格納した各種メディアが装着される部分である。
【００２６】
図２は、図１に示した第２表示・操作部１０３およびメディア装着部１０４を拡大して示す斜視図である。第２表示・操作部１０３はタッチパネル方式となっている。メディア装着部１０４は、上下方向に回転して開閉動作を行うメディアカバー（開閉部材）３０２を有する。携帯型メディア（携帯型記録媒体）の装着は、メディアカバー３０２を開放した状態で行われる。
【００２７】
図３は、図２において、メディアカバー３０２を開放した状態を示す第２表示・操作部１０３の斜視図である。図２に示すように、第２表示・操作部１０３は、形状および大きさが異なる携帯型メディアに対応した、複数のメディア挿入スロット（記録媒体挿入部）３０１を有する。
【００２８】
メディア装着部１０４は、カバーロック装置（ロック手段）３０３およびカバー開閉検出部３０４（図５参照）を備えている。カバーロック装置３０３は、メディアカバー３０２を閉じた状態でロックするものである。
【００２９】
図４（ａ）は、カバーロック装置３０３のレバー挿入凹部３１１を有するメディアカバー３０２の側面図である。図４（ｂ）は、カバーロック装置３０３の構成を示す模式図である。図４（ｂ）に示すように、カバーロック装置３０３は、ロックレバー３１２、ソレノイド３１３およびばね３１４を備えている。
【００３０】
ロックレバー３１２は、軸３１２ａを中心に回転可能であり、ソレノイド３１３により駆動されて回転し、先端部がメディアカバー３０２のレバー挿入凹部３１１に挿入される。これがメディアカバー３０２のロック状態であり、メディアカバー３０２は閉じた状態に保持される。一方、ソレノイド３１３の駆動が解除されると、ロックレバー３１２は、ばね３１４に駆動されて逆方向に回転し、先端部がレバー挿入凹部３１１から抜き出される。これがメディアカバー３０２のロック解除状態であり、メディアカバー３０２は開放可能となる。
【００３１】
カバー開閉検出部３０４は、メディアカバー３０２の閉じ状態および開放状態を検出するものである。このカバー開閉検出部３０４は、メディアカバー３０２の閉じ状態あるいは開放状態を検出するスイッチもしくは各種センサを使用した周知の技術により構成可能である。
【００３２】
図５は図１に示した複合機１００の要部の構成を示す概略のブロック図である。複合機１００は、複合機１００全体を制御する制御部４０１を備える。制御部４０１には、プリンタ部４０２、並びに前記のスキャナ部１０５、操作部１０１、第１表示・操作部１０２、第２表示・操作部１０３およびメディア装着部１０４が接続されている。メディア装着部１０４には、前記カバーロック装置３０３およびカバー開閉検出部３０４が含まれている。また、制御部４０１は、メディア装着部１０４のいずれかのメディア挿入スロット３０１に適正な携帯型メディアが挿入された場合、メディア装着部１０４との通信によりその状態を検出する。
【００３３】
プリンタ部４０２は、画像データに基づいて例えば電子写真方式により印刷を行う周知の構成のものである。
【００３４】
上記の構成において、複合機１００の動作について以下に説明する。
図６は、メディア装着部１０４に携帯型メディアが装着される場合の複合機１００の動作を示すフローチャート、図７は図６に示した動作に続く、複合機１００の動作を示すフローチャートである。
【００３５】
図６において、複合機１００の電源がＯＮにされると、第１表示・操作部１０２および第２表示・操作部１０３は、それぞれ図８および図９に示すように、待機画面の表示となる（Ｓ５０１）。なお、図８は、第１表示・操作部１０２の待機画面を示す説明図であり、図９は、第２表示・操作部１０３の待機画面を示す説明図である。
【００３６】
この状態において、ユーザにより第１表示・操作部１０２のデジタル画像プリントボタン（図８参照）がＯＮ（押下）されると（Ｓ５０２）、第１表示・操作部１０２の表示は、制御部４０１の制御により、図１０に示すように、本体右のカラーパネルすなわち第２表示・操作部１０３での操作を促す表示に切り替わる。なお、ユーザが上記デジタル画像プリントボタンをＯＮする入力操作は、携帯型メディア（携帯型記録媒体）が格納している情報についての処理を求める処理要求に相当する。また、図１０は、図８に示した第１表示・操作部１０２の表示画面において、デジタル画像プリントが選択された結果、切り替わった画面を示す説明図である。
【００３７】
次に、制御部４０１は、カバー開閉検出部３０４の検出結果から、メディアカバー３０２が閉じているか否かを判定する（Ｓ５０３）。この判定の結果、メディアカバー３０２が閉じていなければ、制御部４０１の制御により、第２表示・操作部１０３は、ユーザにメディアカバー３０２を閉じることを指示する表示を行う（Ｓ５０４）。
【００３８】
一方、Ｓ５０３において、メディアカバー３０２が閉じられると、制御部４０１の制御により、カバーロック装置３０３はメディアカバー３０２を閉じた状態に保持する（Ｓ５０５）。次に、第２表示・操作部１０３は、制御部４０１の制御により、図１１に示すように、ユーザによるメディア選択画面を表示する（Ｓ５０６）。なお、このメディア選択画面は、ユーザに対して処理対象の携帯型メディア（携帯型記録媒体）の指定を求める指定要求に相当する。また、図１１は、第２表示・操作部１０３におけるメディア選択画面を示す説明図である。
【００３９】
次に、図１１に示したメディア選択画面において、いずれかのメディア選択ボタンがＯＮ（押下）されると（Ｓ５０７）、制御部４０１は選択された携帯型メディアをメディア装着部１０４の所定のメディア挿入スロット３０１に挿入する場合の、アダプタの要否を判定する（Ｓ５０８）。
【００４０】
ここで、本実施の形態の複合機１００では、図１１に示した携帯型メディアのうち、ｍｉｎｉＳＤカード（第２の携帯型記録媒体）およびｍｉｃｒｏＳＤカード（第２の携帯型記録媒体）、並びにメモリースティック（登録商標）デュオ／ｐｒｏデュオ（第２の携帯型記録媒体）およびメモリースティック（登録商標）マイクロ（第２の携帯型記録媒体）についてはメディア挿入スロット３０１が設けられておらず、アダプタが必要となっている。なお、全ての携帯型メディアに対してメディア挿入スロット３０１を設けることは、メディア装着部１０４が大型化すること、および新たな携帯型メディアが開発された場合にはその携帯型メディアついてはメディア挿入スロット３０１が存在しなくなることから、現実的ではないためである。
【００４１】
Ｓ５０８での判定の結果、アダプタが必要であれば、制御部４０１の制御により、第２表示・操作部１０３は、ユーザに対してアダプタが必要である旨の警告表示を行う（Ｓ５０９）。例えば、図１１に示したメディア選択画面において、ｍｉｎｉＳＤカードもしくはｍｉｃｒｏＳＤカードが選択された場合には、図１２（ａ）に示す警告表示を行う。また、メモリースティック（登録商標）デュオ／ｐｒｏデュオもしくはメモリースティック（登録商標）マイクロが選択された場合には、図１２（ｂ）に示す警告表示を行う。なお、図１２（ａ）および図１２（ｂ）に示す警告表示は、ユーザに対して処理対象の携帯型メディア（携帯型記録媒体）についての確認を求める確認要求に相当する。
【００４２】
また、図１２（ａ）は、図１１のメディア選択画面において、ｍｉｎｉＳＤカードもしくはｍｉｃｒｏＳＤカードが選択された場合の第２表示・操作部１０３での警告表示画面を示す説明図である。図１２（ｂ）は、図１１のメディア選択画面において、メモリースティック（登録商標）デュオ／ｐｒｏデュオもしくはメモリースティック（登録商標）マイクロが選択された場合の第２表示・操作部１０３での警告表示画面を示す説明図である。
【００４３】
次に、図１２（ａ）もしくは図１２（ｂ）に示した画面において、ＯＫボタン（確認っボタン）がユーザにてＯＮ（押下）されると（Ｓ５１０）、制御部４０１の制御により、カバーロック装置３０３は、メディアカバー３０２のロックを解除する（Ｓ５１１）。
【００４４】
次に、第２表示・操作部１０３は、制御部４０１の制御により、図１３に示すように、図１１のメディア選択画面において選択された携帯型メディアに応じたメディア挿入ガイド画面、すなわち携帯型メディア別のメディア挿入ガイド画面を表示する（Ｓ５１２）。なお、図１３は、図１１のメディア選択画面において選択された携帯型メディアに応じた第２表示・操作部１０３でのメディア挿入ガイド画面を示す説明図である。
【００４５】
次に、制御部４０１は、メディア装着部１０４との通信により、携帯型メディアがメディア挿入スロット３０１に挿入されたか否か（Ｓ５１３）、および選択された携帯型メディアが正しく所定のメディア挿入スロット３０１に挿入されたか否かを確認する（Ｓ５１４）。
【００４６】
この確認の結果、選択された携帯型メディアが正しく所定のメディア挿入スロット３０１に挿入されていると、制御部４０１は、カバー開閉検出部３０４の検出結果から、メディアカバー３０２が閉じられているか否かを判定し（Ｓ５１５）、メディアカバー３０２が閉じられていれば、図６のＳ６００に進む。一方、メディアカバー３０２が閉じられていなければ、制御部４０１の制御により、第２表示・操作部１０３は、図１４に示すように、ユーザに対してメディアカバー３０２を閉じることを指示する旨の表示を行い（Ｓ５１６）、Ｓ５１５に戻る。なお、図１４は、図１１のメディア選択画面において選択された携帯型メディアが所定のメディア挿入スロット３０１に正しく挿入された後の第２表示・操作部１０３でのメディアカバー３０２を閉じることを指示する表示画面を示す説明図である。
【００４７】
また、Ｓ５１４において、選択された携帯型メディアが正しく所定のメディア挿入スロット３０１に挿入されていない場合には、Ｓ５０６に戻ってそれ以降の処理を繰り返す。
【００４８】
次に、図７に示すＳ６００において、制御部４０１の制御により、カバーロック装置３０３はメディアカバー３０２を閉じ状態に保持する。
【００４９】
次に、制御部４０１は、メディア装着部１０４に装着されている携帯型メディアから、画像データのサムネイル画像を読み取る（Ｓ６０１）。このサムネイル画像は、図１５に示すように、第２表示・操作部１０３に表示される。なお、携帯型メディアに、格納されている画像データのサムネイル画像がない場合には、制御部４０１が作成してもよい。
【００５０】
次に、図１５に示した第２表示・操作部１０３の表示画面において、ユーザにより印刷する画像が選択され、かつ印刷指示が入力されると（Ｓ６０２）、制御部４０１は、ユーザにより指定された画像を携帯型メディアから読み取る（Ｓ６０３）。なお、図１５は、第２表示・操作部１０３における、メディア装着部１０４に装着された携帯型メディアが格納する画像データのサムネイル画像の表示状態を示す説明図である。
【００５１】
次に、カバーロック装置３０３は、制御部４０１の制御により、メディアカバー３０２のロックを解除する（Ｓ６０４）。
【００５２】
次に、第２表示・操作部１０３は、制御部４０１の制御により、図１６に示すように、メディア装着部１０４のメディア挿入スロット３０１に挿入されている携帯型メディアの取り出しをユーザに指示する表示画面を表示する（Ｓ６０５）。なお、図１６は、メディア装着部１０４のメディア挿入スロット３０１に挿入されている携帯型メディアの取り出しをユーザに指示する表示画面を示す説明図である。
【００５３】
この指示に従い、ユーザによりメディアカバー３０２が開放されて携帯型メディアが取り出され、この状態を確認すると（Ｓ６０６）、制御部４０１は、次にカバー開閉検出部３０４の検出結果によりメディアカバー３０２が閉じられているか否かを判定する（Ｓ６０７）。
【００５４】
この判定の結果、メディアカバー３０２が閉じられていなければ、制御部４０１の制御により、第２表示・操作部１０３は、ユーザにメディアカバー３０２を閉じることを指示する表示画面を表示し（Ｓ６０８）、Ｓ６０７に戻る。この表示は、図１４に示したものと同様である。
【００５５】
次に、制御部４０１は、Ｓ６０７において、カバー開閉検出部３０４の検出結果によりメディアカバー３０２が閉じられていることを確認すると、指定されが画像についての印刷をプリンタ部４０２に行わせ、この印刷が終了すると（Ｓ６１０）、動作を終了する。
【００５６】
以上のように、本実施の形態の複合機１００では、第１表示・操作部１０２のデジタル画像プリントボタンがユーザにて操作されると、ユーザに対して処理対象の携帯型メディアについての確認を求める確認要求が第２表示・操作部１０３に表示される。具体的には、携帯型メディアとしてアダプタが必要なものが選択された場合、アダプタが必要である旨の警告表示を行い、そのことをユーザに認識させている。したがって、ユーザにより、アダプタが必要な携帯型メディアをアダプタを装着することなくメディア挿入スロット３０１に挿入するという誤挿入を防止することができる。
【００５７】
この場合、アダプタを装着せずにメディア挿入スロット３０１に挿入する携帯型メディアと、アダプタを使用して同一の上記メディア挿入スロット３０１に挿入する携帯型メディアとは、同一種類の大きさが異なるものであり、例えばＳＤカードとｍｉｎｉＳＤカードあるいはｍｉｃｒｏＳＤカードなど、名称の一部が重複している。したがって、これら携帯型メディア（ｍｉｎｉＳＤカードおよびｍｉｃｒｏＳＤカード等）はユーザによるメディア挿入スロット３０１への誤挿入が生じ易く、上記の警告表示は有効である。
【００５８】
さらに、複合機１００では、第１表示・操作部１０２のデジタル画像プリントボタンがユーザにて操作されると、メディアカバー３０２が閉じられていることを確認した後、上記警告表示に対してユーザからの確認済の入力があるまで、メディアカバー３０２を閉じ状態にロックしている。したがって、ユーザが携帯型メディアを未確認の状態で不用意にいずれかのメディア挿入スロット３０１に挿入してしまう事態を防止するすることができる。
【００５９】
最後に、複合機１００の各ブロック、特に制御部４０１は、ハードウェアロジックによって構成してもよいし、次のようにＣＰＵを用いてソフトウェアによって実現してもよい。
【００６０】
すなわち、制御部４０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部４０１の制御プログラムのプログラムコード（実行形式プログラム、中間コードプログラム、ソースプログラム）をコンピュータで読み取り可能に記録した記録媒体を、上記制御部４０１に供給し、そのコンピュータ（またはＣＰＵやＭＰＵ）が記録媒体に記録されているプログラムコードを読み出し実行することによっても、達成可能である。
【００６１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６２】
また、制御部４０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図面の簡単な説明】
【００６４】
【図１】本実施の形態の情報処理装置としての複合機の外観を示す斜視図である。
【図２】図１に示した第２表示・操作部およびメディア装着部を拡大して示す斜視図である。
【図３】図２において、メディアカバーを開放した状態を示す第２表示・操作部の斜視図である。
【図４】図４（ａ）は、図３に示したメディア装着部が備えるカバーロック装置のレバー挿入凹部を有するメディアカバーの側面図、図４（ｂ）は、上記カバーロック装置の構成を示す模式図である。
【図５】図１に示した複合機の要部の構成を示す概略のブロック図である。
【図６】図３に示したメディア装着部に携帯型メディアが装着される場合の複合機の動作を示すフローチャートである。
【図７】図６に示した動作に続く、複合機の動作を示すフローチャートである。
【図８】図１に示した第１表示・操作部の待機画面を示す説明図である。
【図９】図１に示した第２表示・操作部の待機画面を示す説明図である。
【図１０】図８に示した第１表示・操作部の表示において、デジタル画像プリントが選択された結果、切り替わった画面を示す説明図である。
【図１１】図１に示した第２表示・操作部におけるメディア選択画面を示す説明図である。
【図１２】図１２（ａ）は、図１１のメディア選択画面において、ｍｉｎｉＳＤカードもしくはｍｉｃｒｏＳＤカードが選択された場合の図１に示した第２表示・操作部での警告表示画面を示す説明図、図１２（ｂ）は、上記メディア選択画面において、メモリースティック（登録商標）デュオ／ｐｒｏデュオもしくはメモリースティック（登録商標）マイクロが選択された場合の上記第２表示・操作部での警告表示画面を示す説明図である。
【図１３】図１１のメディア選択画面において選択された携帯型メディアに応じた図１に示す第２表示・操作部でのメディア挿入ガイド画面を示す説明図である。
【図１４】図１に示した第２表示・操作部でのメディアカバーを閉じることを指示する表示画面を示す説明図である。
【図１５】図１に示した第２表示・操作部における、メディア装着部に装着された携帯型メディアが格納する画像データのサムネイル画像の表示状態を示す説明図である。
【図１６】図３に示したメディア装着部のメディア挿入スロットに挿入されている携帯型メディアの取り出しをユーザに指示する表示画面を示す説明図である。
【符号の説明】
【００６５】
１００    複合機
１０１    操作部
１０２    第１表示・操作部（入力操作手段）
１０３    第２表示・操作部（表示手段、入力操作手段）
１０４    メディア装着部
１０５    スキャナ部
３０１    メディア挿入スロット（記録媒体挿入部）
３０２    メディアカバー（開閉部材）
３０３    カバーロック装置（ロック手段）
３１１    レバー挿入凹部
３１２    ロックレバー
３１３    ソレノイド
３１４    ばね
３０４    カバー開閉検出部
４０１    制御部（制御手段）
４０２    プリンタ部
【図２】
2010042526.tif 000003
【図３】
2010042526.tif 000004
【図４】
2010042526.tif 000005
【図５】
2010042526.tif 000006
【図６】
2010042526.tif 000007
【図７】
2010042526.tif 000008
【図８】
2010042526.tif 000009
【図９】
2010042526.tif 000010
【図１０】
2010042526.tif 000011
【図１１】
2010042526.tif 000012
【図１２】
2010042526.tif 000013
【図１３】
2010042526.tif 000014
【図１４】
2010042526.tif 000015
【図１５】
2010042526.tif 000016
【図１６】
2010042526.tif 000017
【図１】
2010042526.tif 000018